(57)【特許請求の範囲】
【請求項１】
胴部と底部とからなる紙カップ本体の胴部外側に、下部に内方へ曲がる湾曲部を有する紙製外側筒体が嵌着されてなる二重カップの製造工程における、前記紙製外側筒体の下部に雄型と雌型の加圧もしくは加熱加圧により湾曲部を形成する絞り成型において、上部に段差部を、下部にストレート部をそれぞれ全周にわたって設けたテーパー形状の雄型に、前記紙製外側筒体を被せるように装着し、その上から前記雄型に設けられた段差部と相対する段差部を設けた雌型による加圧もしくは加熱加圧によって湾曲部を形成し、その後、前記雌型を除去すると同時に、円筒型の押し出し具を前記雄型の下部に設けられたストレート部外周面に沿って滑らすようにして、前記紙製外側筒体の上端縁を押し出すことで、前記雄型に密着した前記紙製外側筒体を取り外すことを特徴とする二重カップの製造方法。
【請求項２】
前記押し出し具が複数に分割することを可能とする円筒型であることを特徴とする請求項１記載の二重カップの製造方法。
【請求項３】
胴部と底部とからなる紙カップ本体の胴部外側に、下部に内方へ曲がる湾曲部を有する紙製外側筒体が嵌着されてなる二重カップの製造工程における、前記紙製外側筒体の下部に雄型と雌型の加圧もしくは加熱加圧により湾曲部を形成する絞り成型において、上部に段差部を全周にわたって設けたテーパー形状の雄型に、前記紙製外側筒体を被せるように装着し、その上から前記雄型に設けられた段差部と相対する段差部を設けた雌型による加圧もしくは加熱加圧によって湾曲部を形成し、その後、前記雌型を除去すると同時に、前記雄型から前記紙製外側筒体を押し出して取り外す際、前記押し出し具の外周が前記雄型のテーパー形状に応じて小さく変形する複数に分割可能な円筒型の押し出し具を、前記雄型のテーパー形状のの外周面に沿って滑らすようにして、前記紙製外側筒体の上端縁を押し出すことで、前記雄型に密着した前記紙製外側筒体を取り外すことを特徴とする二重カップの製造方法。
【請求項４】
前記雄型のテーパー形状の外周面に、前記押し出し具により前記紙製外側筒体が押し出される方向と同一方向に溝部を複数設けてなることを特徴とする請求項１、２または３に記載の二重カップの製造方法。
【発明の詳細な説明】
【０００１】
【発明の属する技術分野】
本発明は、即席麺や即席みそ汁などを収容し、熱湯を注いで飲食するための断熱機能を有する二重カップの製造方法に関するものであり、特に、その二重カップを構成する紙製外側筒体の下部に湾曲部を形成する絞り成型に関する。
【０００２】
【従来の技術】
従来、即席麺、即席みそ汁、即席スープ等の収容物に熱湯を注いで食するための断熱カップとして、発泡ポリスチレン樹脂などを成形した容器が知られている。しかし近年、発泡ポリスチレン等でなる断熱カップの廃棄物問題や環境ホルモン問題等に鑑み、易廃棄性および易焼却性を有し、かつ環境ホルモンに対しても問題のない断熱カップとして、特開平８−５８７６２号公報などに開示されている紙カップ本体の周囲を断熱のための保護カバーで覆った紙製断熱カップがある。
【０００３】
上記紙製断熱カップの一例として、図５（ａ）の斜視図に示すように、紙製側壁（６０ａ）と紙製底壁（６０ｂ）でなる紙カップ本体（１０）の紙製側壁（６０ａ）外面に、図５（ｂ）の側断面図に示すように、ライナー紙（８２）の片面にエンボスが施された断熱材（８４）を貼着した断熱シート（８０）を巻き付けて接着固定して紙製断熱カップ（５）とするものがあり、有効に実用されている。
【０００４】
しかしながら、上記紙製断熱カップでは、断熱シート（８０）自体のコストやその巻き付け等を含めた製造コストに難点のあるものであった。
【０００５】
また、図６に示すように、紙カップ本体（１０）の外面に、キャタピラ型エンボス紙（８５）を巻き付け貼着したキャタピラ型断熱カップ（７）も実用されている。
【０００６】
しかしながら、上記キャタピラ型断熱カップ（７）では、カップ外面に凹凸が形成されているため、その凹部（８５ａ）に印刷絵柄や文字が位置した場合、特に小さな文字（内容物の原材料名や栄養成分等）の場合は読み取り困難となり、かつ外観的にも見映えがせず美粧性に欠ける等の問題があった。
【０００７】
そこで上記問題等を解決するものとして、例えば図１に示すように、胴部（１２）と底部（１４）とからなる紙カップ本体（１０）の胴部（１２）外側に、下部に内方へ曲がる湾曲部（絞り成型部）（２２）有する紙製外側筒体（２０）が嵌着され、前記紙カップ本体（１０）の胴部下端外周に接着剤を介して接着一体化されてなり、紙カップ本体（１０）と紙製外側筒体（２０）の間に空隙（Ｋ）による断熱機能を有する二重カップ（１）が提案されている。
【０００８】
しかしながら、上記の二重カップを構成する紙製外側筒体の製造工程の中の、前記紙製外側筒体（２０）の下部に雄型と雌型の加圧あるいは加熱加圧により湾曲部を形成する絞り成型工程において、絞り成型後、雄型に密着した紙製外側筒体（２０）の取り外しは、自然落下等では困難で、吸盤を用いる方法も考えられるが確実性に欠けるので、連続的にかつ確実に取り外し可能な方法が要望されていた。
【０００９】
【発明が解決しようとする課題】
本発明は、かかる要望点を解決するものであり、その課題とするところは、熱湯を注いで飲食するための二重カップの製造工程における、下部に湾曲部を有する紙製外側筒体の絞り成型において、雄型に密着した紙製外側筒体の取り外しが、連続的にかつ確実に安定して可能な二重カップの製造方法を提供することにある。
【００１０】
【課題を解決するための手段】
本発明に於いて上記課題を達成するために、まず請求項１の発明では、胴部と底部とからなる紙カップ本体の胴部外側に、下部に内方へ曲がる湾曲部を有する紙製外側筒体が嵌着されてなる二重カップの製造工程における、前記紙製外側筒体の下部に雄型と雌型の加圧もしくは加熱加圧により湾曲部を形成する絞り成型において、上部に段差部を、下部にストレート部をそれぞれ全周にわたって設けたテーパー形状の雄型に、前記紙製外側筒体を被せるように装着し、その上から前記雄型に設けられた段差部と相対する段差部を設けた雌型による加圧もしくは加熱加圧によって湾曲部を形成し、その後、前記雌型を除去すると同時に、円筒型の押し出し具を前記雄型の下部に設けられたストレート部外周面に沿って滑らすようにして、前記紙製外側筒体の上端縁を押し出すことで、前記雄型に密着した前記紙製外側筒体を取り外すことを特徴とする二重カップの製造方法としたものである。
【００１１】
また、請求項２の発明では、前記押し出し具が複数に分割することを可能とする円筒型であることを特徴とする請求項１記載の二重カップの製造方法としたものである。
【００１２】
また、請求項３の発明では、胴部と底部とからなる紙カップ本体の胴部外側に、下部に内方へ曲がる湾曲部を有する紙製外側筒体が嵌着されてなる二重カップの製造工程における、前記紙製外側筒体の下部に雄型と雌型の加圧もしくは加熱加圧により湾曲部を形成する絞り成型において、上部に段差部を全周にわたって設けたテーパー形状の雄型に、前記紙製外側筒体を被せるように装着し、その上から前記雄型に設けられた段差部と相対する段差部を設けた雌型による加圧もしくは加熱加圧によって湾曲部を形成し、その後、前記雌型を除去すると同時に、前記雄型から前記紙製外側筒体を押し出して取り外す際、前記押し出し具の外周が前記雄型のテーパー形状に応じて小さく変形する複数に分割可能な円筒型の押し出し具を、前記雄型のテーパー形状のの外周面に沿って滑らすようにして、前記紙製外側筒体の上端縁を押し出すことで、前記雄型に密着した前記紙製外側筒体を取り外すことを特徴とする二重カップの製造方法としたものである。
【００１３】
さらにまた、請求項４の発明では、前記雄型のテーパー形状の外周面に、前記押し出し具により前記紙製外側筒体が押し出される方向と同一方向に溝部を複数設けてなることを特徴とする請求項１、２または３に記載の二重カップの製造方法としたものである。
【００１４】
【発明の実施の形態】
以下本発明の実施の形態を図面を用いて詳細に説明する。
まず本発明に係わる二重カップの一事例として、図１に示すように、胴部（１２）と底部（１４）とからなるカップ本体（１０）の胴部（１２）外側に、下部に内方へ曲がる湾曲部（２２）を有する紙製外側筒体（２０）が嵌着されてなる二重カップ（１）であり、本発明は、その二重カップ（１）の製造方法に関するものであり、さらに詳しくは、二重カップ（１）を構成する紙製外側筒体（２０）の絞り成型に関するものである。
【００１５】
まず請求項１の発明は、図２（ａ）に示すように、紙製外側筒体（２０）の下部に雄型（３０）と雌型（４０）の加圧もしくは加熱加圧により湾曲部（２２）を形成する絞り成型において、上部に段差部（３４）を、下部にストレート部（３２）をそれぞれ全周にわたって設けたテーパー形状の雄型（３０）に、前記紙製外側筒体（２０）を被せるように装着し、その上から前記雄型（３０）に設けられた段差部（３４）と相対する段差部を設けた雌型（４０）による加圧もしくは加熱加圧によって湾曲部（２２）を形成する。
【００１６】
その後、前記雌型（４０）を除去すると同時に、円筒型の押し出し具（５０）を前記雄型（３０）の下部に設けられたストレート部（３２）外周面に沿って滑らすようにして、前記紙製外側筒体（２０）の上端縁（２４）を押し出すことによって、前記雄型（３０）に密着した前記紙製外側筒体（２０）を確実に取り外すことを可能にした二重カップの製造方法である。
【００１７】
また、請求項２の発明は、図２（ｂ）に示すような前記円筒型の押し出し具（５０）が、図２（ｃ）に示すように複数に分割することも可能とするものである。
【００１８】
また、請求項３の発明は、図３（ａ）に示すように、紙製外側筒体（２０）の下部に雄型（３０）と雌型（４０）の加圧もしくは加熱加圧により湾曲部（２２）を形成する絞り成型において、上部に段差部（３４）を全周にわたって設けたテーパー形状の雄型（４０）に、前記紙製外側筒体（２０）を被せるように装着し、その上から前記雄型（３０）に設けられた段差部（３４）と相対する段差部を設けた雌型（４０）による加圧もしくは加熱加圧によって湾曲部（２２）を形成する。
【００１９】
その後、前記雌型（４０）を除去すると同時に、前記雄型（３０）から前記紙製外側筒体（２０）を押し出して取り外す際、図３（ｂ）に示すような、複数に分割可能な円筒型押し出し具（５０）の外周が、図３（ｃ）に示すように、前記雄型のテーパー形状に応じて小さく変形する押し出し具（５０）を用いて、図３（ａ）に示すように、前記雄型（３０）のテーパー形状の外周面に沿って滑らすようにして、前記紙製外側筒体（２０）の上端縁（２４）を押し出すことによって、前記雄型（３０）に密着した前記紙製外側筒体（２０）を確実に取り外すことを可能にした二重カップの製造方法である。
【００２０】
さらにまた、本発明では図４（ａ）に示すように、前記雄型（３０）のテーパー形状の外周面に、押し出し具（５０）により前記紙製外側筒体（２０）が押し出される方向（Ｐ）と同一方向にスリット形状の溝部（７０）を設けてなるものであり、図４（ｂ）の雄型（３０）のＢ−Ｂ断面図に示すように、その溝部（７０）が、前記雄型（３０）のテーパ形状の外周面に複数設けられてなるものである。
【００２１】
上記溝部（７０）は、図４（ａ）に示すように、雄型（３０）の下部端周面から雌型（４０）が嵌め込まれた時の雌型（４０）の端部まで設けるもので、このように溝部（７０）を設けた雄型（３０）とすることによって、紙製外側筒体（２０）と雄型（３０）との接触面積が小さくなって抵抗が少なくなるので、その押し出し取り外しをより容易にすることができる。このような溝部（７０）の形成は、図２（ａ）に示す雄型（３０）のテーパー形状の外周面にも施すことができ、同様な効果を得ることができる。
【００２２】
前記紙製外側筒体（２０）は、坪量２５０ｇ／ｍ2 〜３８０ｇ／ｍ2 程度のコートボール、白ライナー、カップ原紙を素材として、カップ本体（１０）の胴部（１２）を覆う大きさの略扇形状に打ち抜いたブランクの両端を重ね合わせ、例えばエチレン・酢酸ビニル樹脂系のエマルジョンタイプの接着剤を介して接着させ、円錐台形状の筒体とし、この筒体を上記のような絞り加工によって下部に湾曲部（２２）を形成する。
【００２３】
また、上記絞り加工は、素材によって湾曲部（２２）の形成のし易さも異なるが、加圧のみでもよく、それに加熱を併用してもよく、その加圧は５００ｇ／ｃｍ2 程度が好適である。
【００２４】
【発明の効果】
本発明は以上の構成であるから、下記に示す如き効果がある。
すなわち、紙カップ本体の胴部外側に、下部に内方へ曲がる湾曲部を有する紙製外側筒体が嵌着されてなる二重カップの製造工程における、前記紙製外側筒体の下部に雄型と雌型の加圧もしくは加熱加圧により湾曲部を形成する絞り成型において、上部に段差部を、下部にストレート部をそれぞれ全周にわたって設けたテーパー形状の雄型に、前記紙製外側筒体を被せるように装着し、その上から前記雄型に設けられた段差部と相対する段差部を設けた雌型による加圧もしくは加熱加圧によって湾曲部を形成し、その後、前記雌型を除去すると同時に、円筒型の押し出し具を前記雄型の下部に設けられたストレート部外周面に沿って滑らすようにして、前記紙製外側筒体の上端縁を押し出す方法としたので、前記雄型に密着した前記紙製外側筒体を連続してかつ確実に取り外すことができる。
【００２５】
また、前記湾曲部を形成する絞り成型において、上部に段差部を全周にわたって設けたテーパー形状の雄型に、前記紙製外側筒体を被せるように装着し、その上から前記雄型に設けられた段差部と相対する段差部を設けた雌型による加圧もしくは加熱加圧によって湾曲部を形成し、その後、前記雌型を除去すると同時に、前記雄型から前記紙製外側筒体を押し出して取り外す際、前記押し出し具の外周が前記雄型のテーパー形状に応じて小さく変形する複数に分割可能な円筒型の押し出し具を、前記雄型のテーパー形状のの外周面に沿って滑らすようにして、前記紙製外側筒体の上端縁を押し出す方法としたので、前記雄型に密着した前記紙製外側筒体を連続して確実に取り外すことができる。
【００２６】
さらにまた、前記雄型のテーパー形状の外周面に、前記押し出し具により紙製外側筒体が押し出される方向と同一方向に溝部を複数設けてなるものとすることによって、前記雄型に密着した紙製外側筒体を連続してより確実に取り外すことができ、生産効率の向上に寄与することができる。
【００２７】
従って本発明は、即席麺や即席みそ汁などを収容し、熱湯を注いで飲食するための断熱機能を有する二重カップの製造方法として、優れた実用上の効果を発揮する。
【図面の簡単な説明】
【図１】本発明の二重カップの一実施の形態を部分断面で表した説明図である。
【図２】本発明の二重カップの製造方法の一実施の形態を説明する図で、
（ａ）は、絞り工程の側断面図であり、
（ｂ）は、押し出し具（５０）の形状の一事例を示す上面断面図であり、
（ｃ）は、押し出し具（５０）の形状の他の一事例を示す上面断面図である。
【図３】本発明の二重カップの製造方法の他の一実施の形態を説明する図で、
（ａ）は、絞り工程の側断面図であり、
（ｂ）は、押し出し具（５０）の形状の一事例を示す上面断面図であり、
（ｃ）は、押し出し後の形状を示す上面断面図である。
【図４】本発明の二重カップの製造方法の他の一実施の形態を説明する図で、
（ａ）は、雄型（３０）にスリット状溝（７０）を形成した側断面図であり、
（ｂ）は、Ｂ−Ｂ断面図である。
【図５】従来の紙製断熱カップの一事例を説明するもので、
（ａ）は、その斜視図であり、
（ｂ）は、それを構成する断熱シートの側断面図である。
【図６】従来のキャタピラ型断熱カップの一事例を状面から見た断面で表した説明図である。
【符号の説明】
１‥‥二重カップ
５‥‥紙製断熱カップ
７‥‥キャタピラ型断熱カップ
１０‥‥紙カップ本体
１２‥‥胴部
１４‥‥底部
２０‥‥紙製外側筒体
２２‥‥湾曲部
２４‥‥紙製外側筒体の上端縁
３０‥‥雄型
３２‥‥ストレート部
３４‥‥段差部
４０‥‥雌型
５０‥‥押し出し具
６０ａ‥‥紙製側壁
６０ｂ‥‥紙製底壁
７０‥‥溝部
８０‥‥断熱シート
８２‥‥ライナー紙
８４‥‥断熱紙
８５‥‥キャタピラ型エンボス紙
８５ａ‥‥凹部
Ｋ‥‥空隙
【図１】
0003791248.tif 000002
【図２】
0003791248.tif 000003
【図３】
0003791248.tif 000004
【図４】
0003791248.tif 000005
【図５】
0003791248.tif 000006
【図６】
0003791248.tif 000007